(57)【要約】【課題】イベント中にユーザによる煩雑な操作を不要にしつつ、演出態様を制御する端末演出制御データを的確に取得してユーザを確実にイベントに参加させること、及び、その結果、ユーザが参加する演出を通してイベントにおける一体感を高めることが可能な端末装置等を提供すること。【解決手段】ペンライト１００は、複数の演出態様を実行することが可能であって、複数の演出態様の組み合わせが規定された端末演出制御データを、制御装置３００から取得するとともに、取得された端末演出制御データを記憶する。そして、ペンライト１００は、イベントの進行時刻に従って記憶した端末演出制御データを読み出し、当該読み出した端末演出制御データに基づいて前記演出手段の演出態様の実行を制御する。【選択図】図１
2013004323.tif 000002
【特許請求の範囲】
【請求項１】
所定の演出に用いるための演出機能を備えた端末装置であって、
複数の演出態様を実行することが可能な演出手段と、
前記複数の演出態様の組み合わせが規定された端末演出制御データを、他の通信装置からまたはユーザの操作入力によって取得する取得手段と、
前記取得された端末演出制御データが記憶される記憶手段と、
前記記憶した端末演出制御データを読み出し、当該読み出した端末演出制御データに基づいて前記演出手段の演出態様の実行を制御する制御手段と、
を備えることを特徴とする端末装置。
【請求項２】
請求項１に記載の端末装置において、
前記取得手段が、前記他の通信端末装置としてイベントの演出に連動するための制御を行う連動制御装置からネットワークを介して前記端末演出制御データを取得するとともに、
前記制御手段が、前記イベントの演出を進行するための進行時刻に基づいて前記端末演出制御データを実行して前記演出手段を制御する、端末装置。
【請求項３】
請求項２に記載の端末装置において、
前記連動制御装置と同期して前記進行時刻を管理する時刻管理手段を更に備え、
前記取得手段が、演出を実行するための演出実行時刻の情報を時刻情報として有する端末演出制御データを当該演出実行時刻までに取得し、
前記制御手段が、前記時刻管理手段によって管理される進行時刻が前記演出実行時刻または当該演出実行時刻以降になったタイミングによって、対応する端末演出制御データを前記記憶手段から読み出し、当該読み出した端末演出制御データに基づいて前記演出手段を制御する、端末装置。
【請求項４】
請求項２または３に記載の端末装置において、
前記記憶手段には、時刻上で連続している前記演出実行時刻を含む、複数の前記端末演出制御データが記憶されている、端末装置。
【請求項５】
請求項２〜４の何れか一項に記載の端末装置において、
前記端末演出制御データの前記記憶手段への記録制御を行う記憶制御手段を更に備え、
前記記憶制御手段が、前記取得手段によって所定の条件を有する端末演出制御データを受信した場合には、当該受信した端末演出制御データを記憶せずに破棄する、端末装置。
【請求項６】
請求項５に記載の端末装置において、
前記所定の条件には、前記受信した端末演出制御データが既に記憶されている端末演出制御データと同一であること、前記受信した端末演出制御データが自機に無関係の端末演出制御データであること、または、前記記憶制御手段に記憶可能領域が無いことの少なくとも何れかの条件が含まれる、端末装置。
【請求項７】
請求項２〜６の何れか一項に記載のイベント演出参加用通信端末装置において、
同一の前記端末演出制御データが繰り返して連動制御装置から送信されている、端末装置。
【請求項８】
請求項２〜７の何れかに記載の端末装置において、
前記演出手段が、自発光する発光ユニットを有し、
前記制御手段が、前記端末演出制御データに基づいて当該発光ユニットの発光状態を制御する、端末装置。
【請求項９】
イベントの演出に連動するための制御を行う連動制御装置と
前記連動制御装置とデータを授受し、ユーザにおける当該イベントへの演出に参加するために用いられる端末装置と、
を備え、
前記端末装置が、
複数の演出態様を実行することが可能な演出手段と、
前記複数の演出態様の組み合わせが規定された端末演出制御データを、連動制御装置から取得する取得手段と、
前記取得された端末演出制御データが記憶される記憶手段と、
前記記憶した端末演出制御データを読み出し、当該読み出した端末演出制御データに基づいて前記演出手段を制御する制御手段と、
を備えることを特徴とするイベント用演出システム。
【請求項１０】
請求項９に記載のイベント用演出システムにおいて、
前記連動制御装置が、イベント用の演出に用いる拡声装置、音再生装置、舞台照明装置及び舞台装置の少なくとも何れか一の演出機器と連動するための連動制御ユニットを有している、イベント用演出システム。
【請求項１１】
請求項９または１０に記載のイベント用演出システムにおいて、
前記連動制御装置が、前記連動制御ユニットと離隔して形成され、前記ベント演出参加用通信端末装置と無線通信によってデータの授受を行う通信ユニットを更に有している、イベント用演出システム。
【請求項１２】
請求項１０または１１に記載のイベント用演出システムにおいて、
前記連動制御装置が、同一の端末演出制御データを複数回繰り返して前記端末装置に送信する、イベント用演出システム。
【請求項１３】
請求項１２に記載のイベント用演出システムにおいて、
前記端末装置が、前記前記連動制御装置と同期し、前記イベントの演出を進行するための進行時刻を管理する時刻管理手段を更に備え、
前記連動制御装置が、
所定のタイミング毎に、前記進行時刻の早い端末演出制御データを削除し、かつ、前記進行時刻の遅い端末演出制御データを新たに組み込み込んだ、前記進行時刻が連続した複数の端末演出制御データから構成されるデータ群を生成する生成手段と、
前記生成されたデータ群を繰り返して前記信端末装置に送信する送信制御手段と
を更に有する、イベント用演出システム。
【請求項１４】
請求項１に記載の端末装置において、
前記端末演出制御データを設定入力するために用いる操作手段と、
前記設定入力された端末演出制御データを前記記憶手段に記憶する操作入力処理手段と、
を更に備えることを特徴とする端末装置。
【請求項１５】
請求項１４に記載の端末装置において、
前記演出手段が、自発光する発光ユニットを有し、
制御手段が、前記端末演出制御データに基づいて当該発光ユニットの発光状態を制御する、端末装置。
【請求項１６】
請求項１５に記載の端末装置において、
前記演出手段が、異なる色をそれぞれ自発光させる前記発光ユニットを有し
前記制御手段が、前記前記端末演出制御データに基づいて前記発光ユニットの発光状態を制御する、端末装置。
【発明の詳細な説明】
【技術分野】
【０００１】
本発明は、イベントの演出に用いられる端末装置に関する。
【背景技術】
【０００２】
近年、無線通信技術または種々の回路素子及び表示装置の小型化など周辺技術の発達に伴って、携帯用電話機をはじめとする種々の通信端末装置が急速に普及している。一方、近年においては、ネットワークを介して通信制御可能な家電製品（すなわち、ネットワーク家電）のみならず、玩具または照明機器などに通信ユニットが搭載され、通信制御可能な装置が増加してきている。
【０００３】
特に、最近では、ペンライトなどのイベント会場において種々の演出と連動して用いられる携帯発光装置が知られている。この携帯発光装置は、イベント会場において、所定の場所に設置された発光状態制御装置と連動して用いられるようになっている。そして、携帯発光装置は、当該発光状態制御装置から付与されたイベント会場内における固有のアドレスを有し、発光状態制御装置の指示に基づいて、種々の色を発光させるようになっている（例えば、特許文献１）。
【先行技術文献】
【特許文献】
【０００４】
【特許文献１】特開２００３−３６９８１号公報
【発明の概要】
【発明が解決しようとする課題】
【０００５】
しかしながら、このようなイベントにおいて用いられ、かつ、当該イベントの演出に連動する装置（以下、単に「端末装置」という。）であっては、発光状態制御装置などの親局からの指示に基づいて、自機における発光態様を変化させるだけであり、通信障害などの通信エラーが発生した場合には、発光態様の指示を受信することができず、イベントの演出に参加することができない。
【０００６】
また、このような端末装置であっては、予め発光態様を規定したデータを記憶手段に記憶することができないので、発光態様制御装置と連動できなければ、イベント中であっても発光態様を実行するための操作を行う必要があり、当該操作が煩雑となる場合も多い。
【０００７】
本発明は、上記課題を解決するためになされたものであり、その目的は、イベント中にユーザによる煩雑な操作を不要にしつつ、演出態様を制御する端末演出制御データを的確に取得してユーザを確実にイベントに参加させること、及び、その結果、ユーザが参加する演出を通してイベントにおける一体感を高めることが可能な端末装置等を提供することにある。
【課題を解決するための手段】
【０００８】
（１）上記課題を解決するため、本発明の端末装置は、
所定の演出に用いるための演出機能を備えた端末装置であって、
複数の演出態様を実行することが可能な演出手段と、
前記複数の演出態様の組み合わせが規定された端末演出制御データを、他の通信装置からまたはユーザの操作入力によって取得する取得手段と、
前記取得された端末演出制御データが記憶される記憶手段と、
前記記憶した端末演出制御データを読み出し、当該読み出した端末演出制御データに基づいて前記演出手段の演出態様の実行を制御する制御手段と、
を備える構成を有している。
【０００９】
この構成により、本発明の端末装置は、他の通信機器からまたはユーザの操作入力によって、自発光ユニット、拡声ユニットまたは表示装置などの演出手段が実行する発光態様、音出力態様または表示態様などの演出態様を予め取得して記憶することができるので、イベント中にユーザによる煩雑な操作を不要にしつつ、演出態様を制御する端末演出制御データを的確に取得し、イベント中であっても当該演出態様を確実に実行することができる。
【００１０】
したがって、本発明の端末装置は、ユーザを確実にイベントに参加させることができるので、ユーザが参加する演出を通してイベントにおける一体感を高めることができる。
【００１１】
（２）また、本発明の端末装置は、
前記取得手段が、前記他の通信端末装置としてイベントの演出に連動するための制御を行う連動制御装置からネットワークを介して前記端末演出制御データを取得するとともに、
前記制御手段が、前記イベントの演出を進行するための進行時刻に基づいて前記端末演出制御データを実行して前記演出手段を制御する、構成を有している。
【００１２】
この構成により、本発明の端末装置は、繰り返して端末演出制御データを受信することが可能となり、通信障害、送信エラーまたは受信エラーなど種々の問題による未受信を防止することができるので、演出態様を制御する端末演出制御データを的確に取得することができる。
【００１３】
（３）また、本発明の端末装置は、
前記連動制御装置と同期して前記進行時刻を管理する時刻管理手段を更に備え、
前記取得手段が、演出を実行するための演出実行時刻の情報を時刻情報として有する端末演出制御データを当該演出実行時刻までに取得し、
前記制御手段が、前記時刻管理手段によって管理される進行時刻が前記演出実行時刻または当該演出実行時刻以降になったタイミングによって、対応する端末演出制御データを前記記憶手段から読み出し、当該読み出した端末演出制御データに基づいて前記演出手段を制御する、構成を有している。
【００１４】
この構成により、本発明の端末装置は、連動制御装置と同期をとることができるとともに、端末演出制御データを実行するタイミングを連動制御装置と同期することができるので、イベントの演出と自機が実行する演出を確実に連動させることができる。
【００１５】
（４）また、本発明の端末装置は、
前記記憶手段には、時刻上で連続している前記演出実行時刻を含む、複数の前記端末演出制御データが記憶されている、構成を有している。
【００１６】
この構成により、本発明の端末装置は、時刻上で連続している演出実行時刻を含む端末演出制御データを記憶するので、イベントの演出を連続的に実行することが可能となり、音楽に合わせるなど自機の行う演出をイベントの演出に合わせて複雑な演出態様を実行することができる。
【００１７】
（５）また、本発明の端末装置は、
前記端末演出制御データの前記記憶手段への記録制御を行う記憶制御手段を更に備え、
前記記憶制御手段が、前記取得手段によって所定の条件を有する端末演出制御データを受信した場合には、当該受信した端末演出制御データを記憶せずに破棄する、構成を有している。
【００１８】
この構成により、本発明の端末装置は、例えば、受信した端末演出制御データが既に記憶されている端末演出制御データと同一であること、受信した端末演出制御データが自機に無関係の端末演出制御データであること、または、記憶制御手段に記憶可能領域が無い場合に受信した端末演出制御データを記憶せずに破棄するので、的確に必要な端末演出制御データのみを記憶すること、または、未実行の端末演出制御データを確実に保持して実行することができる。
【００１９】
（６）また、本発明の端末装置は、
前記所定の条件には、前記受信した端末演出制御データが既に記憶されている端末演出制御データと同一であること、前記受信した端末演出制御データが自機に無関係の端末演出制御データであること、または、前記記憶制御手段に記憶可能領域が無いことの少なくとも何れかの条件が含まれる、構成を有している。
【００２０】
この構成により、本発明の端末装置は、的確に必要な端末演出制御データのみを記憶すること、または、未実行の端末演出制御データを確実に保持して実行することができる。
【００２１】
（７）また、本発明の端末装置は、
同一の前記端末演出制御データが繰り返して連動制御装置から送信されている、構成を有している。
【００２２】
この構成により、本発明の端末装置は、繰り返して端末演出制御データを受信することにより、通信障害、送信エラーまたは受信エラーなど種々の問題による未受信を防止することができるので、的確に親局からの指示を受信し、確実にイベントの演出を実行することができる。
【００２３】
（８）また、本発明の端末装置は、
前記演出手段が、自発光する発光ユニットを有し、
前記制御手段が、前記端末演出制御データに基づいて当該発光ユニットの発光状態を制御する、構成を有している。
【００２４】
この構成により、本発明の端末装置は、光によってイベントの演出に参加することができる。
【００２５】
（９）上記課題を解決するため、本発明のイベント用演出システムは、
イベントの演出に連動するための制御を行う連動制御装置と
前記連動制御装置とデータを授受し、ユーザにおける当該イベントへの演出に参加するために用いられる端末装置と、
を備え、
前記端末装置が、
複数の演出態様を実行することが可能な演出手段と、
前記複数の演出態様の組み合わせが規定された端末演出制御データを、連動制御装置から取得する取得手段と、
前記取得された端末演出制御データが記憶される記憶手段と、
前記記憶した端末演出制御データを読み出し、当該読み出した端末演出制御データに基づいて前記演出手段を制御する制御手段と、
を備える構成をしている。
【００２６】
この構成により、本発明のイベント用演出システムは、他の通信機器からまたはユーザの操作入力によって、自発光ユニット、拡声ユニットまたは表示装置などの演出手段が実行する発光態様、音出力態様または表示態様などの演出態様を予め取得して記憶することができるので、イベント中にユーザによる煩雑な操作を不要にしつつ、演出態様を制御する端末演出制御データを的確に取得し、イベント中であっても当該演出態様を確実に実行することができる。
【００２７】
したがって、本発明のイベント用演出システムは、ユーザを確実にイベントに参加させることができるので、ユーザが参加する演出を通してイベントにおける一体感を高めることができる。
【００２８】
（１０）また、本発明のイベント用演出システムは、
前記連動制御装置が、イベント用の演出に用いる拡声装置、音再生装置、舞台照明装置及び舞台装置の少なくとも何れか一の演出機器と連動するための連動制御ユニットを有している、構成をしている。
【００２９】
この構成により、本発明のイベント用演出システムは、拡声装置、音楽を再生する音再生装置、舞台照明装置または舞台装置と端末装置とを連動させることができるので、ユーザが参加する演出を通してイベントにおける一体感を高めることができる。
【００３０】
（１１）また、本発明のイベント用演出システムは、
前記連動制御装置が、前記連動制御ユニットと離隔して形成され、前記ベント演出参加用通信端末装置と無線通信によってデータの授受を行う通信ユニットを更に有している、構成をしている。
【００３１】
この構成により、本発明のイベント用演出システムは、イベント会場内の電波状況の悪い場所に制御ユニットを設置しなければならない場合であっても、通信ユニットを電波状況の良い場所に設置すればよいので、あらゆる場所で本システムを用いることができる。
【００３２】
（１２）また、本発明のイベント用演出システムは、
前記連動制御装置が、同一の端末演出制御データを複数回繰り返して前記端末装置に送信する、構成を有している。
【００３３】
この構成により、本発明のイベント用演出システムは、繰り返して端末演出制御データを受信することにより、通信障害、送信エラーまたは受信エラーなど種々の問題による未受信を防止することができるので、端末装置において、的確に親局からの指示を受信し、確実にイベントの演出を実行することができる。
【００３４】
（１３）また、本発明のイベント用演出システムは、
前記端末装置が、前記前記連動制御装置と同期し、前記イベントの演出を進行するための進行時刻を管理する時刻管理手段を更に備え、
前記連動制御装置が、
所定のタイミング毎に、前記進行時刻の早い端末演出制御データを削除し、かつ、前記進行時刻の遅い端末演出制御データを新たに組み込み込んだ、前記進行時刻が連続した複数の端末演出制御データから構成されるデータ群を生成する生成手段と、
前記生成されたデータ群を繰り返して前記信端末装置に送信する送信制御手段と
を更に有する、構成をしている。
【００３５】
この構成により、本発明のイベント用演出システムは、端末演出制御データを繰り返し送信しつつも、新しい端末演出制御データを送信することができるので、送信エラーまたは受信エラーなど種々の問題による未受信を防止しつつ、演出時刻の進行に伴って逐次端末演出制御データが実行されたとしても、読み出されるまで端末演出制御データを端末装置に受信させて記憶させることができる。
【００３６】
（１４）また、本発明の端末装置は、
前記端末演出制御データを設定入力するために用いる操作手段と、
前記設定入力された端末演出制御データを前記記憶手段に記憶する操作入力処理手段と、
を更に備える構成を有している。
【００３７】
この構成により、本発明の端末装置は、ユーザの操作入力によって、自発光ユニット、拡声ユニットまたは表示装置などの演出手段が実行する発光態様、音出力態様または表示態様などの演出態様を予め取得して記憶することができるので、イベント中にユーザによる煩雑な操作を不要にしつつ、演出態様を制御する端末演出制御データを的確に取得し、イベント中であっても演出態様を確実に実行することができる。
【００３８】
（１５）また、本発明の端末装置は、
前記演出手段が、自発光する発光ユニットを有し、
制御手段が、前記端末演出制御データに基づいて当該発光ユニットの発光状態を制御する、構成を有している。
【００３９】
この構成により、本発明の端末装置は、光によってイベントの演出に参加することができる。
【００４０】
（１６）また、本発明の端末装置は、
前記演出手段が、異なる色をそれぞれ自発光させる発光ユニットを有し
前記制御手段が、前記前記端末演出制御データに基づいて前記発光ユニットの発光状態を制御する、構成を有している。
【００４１】
この構成により、本発明の端末装置は、イベントの演出に連動させて種々の演出態様を実行させることができるとともに、ユーザがその設定を行うことによる新たな興趣性をも提供することができる。
【図面の簡単な説明】
【００４２】
【図１】本発明に係るイベント演出システムの一実施形態における構成を示す構成図である。
【図２】一実施形態におけるペンライトの構成を示す外観斜視図である。
【図３】一実施形態におけるペンライトの構成を示す機能ブロック図の一例である。
【図４】一実施形態における中継器及び制御装置の構成を示す機能ブロック図の一例である。
【図５】制御装置から各ペンライトに送信される演出制御データ群の一例である。
【図６】一実施形態における演出制御データ群に含まれる端末演出制御データを説明するための図である。
【図７】一実施形態において、子局主導通信時における操作入力データに基づくイベント演出の処理例（ペンライトの動作処理例）について説明する。
【図８】一実施形態において、子局主導通信時における操作入力データに基づくイベント演出の処理例（制御装置の動作処理例）について説明する。
【図９】一実施形態において、親局主導通信時における操作入力データに基づくイベント演出の処理例（ペンライトの動作処理例）について説明する。
【図１０】一実施形態において、親局主導通信時における操作入力データに基づくイベント演出の処理例（制御装置の動作処理例）について説明する。
【図１１】イベントの演出におけるペンライト制御（制御装置との連動制御）時の制御装置において実行されるメイン処理の一例である。
【図１２】イベントの演出におけるペンライト制御（制御装置との連動制御）時の制御装置において実行されるデータ生成処理の一例である。
【図１３】一実施形態において、イベントの演出におけるペンライト制御（制御装置との連動制御）時のペンライトにおいて実行されるメイン処理の一例である。
【図１４】イベントの演出におけるペンライト制御（制御装置との連動制御）時のペンライトにおいて実行される演出制御処理の一例である。
【図１５】イベントの演出におけるペンライト制御（ペンライトの単独制御）時の端末演出制御データ設定処理の一例である。
【図１６】イベントの演出におけるペンライト制御（ペンライトの単独制御）時の端末演出制御データ実行処理の一例である。
【発明を実施するための形態】
【００４３】
以下、本発明の実施形態について、図面を参照しながら説明する。なお、以下の実施形態は、無線通信機能を有する複数のペンライト、中継器、及び、各ペンライトを制御する制御装置とから構成されるイベント演出システムに対し、本発明に係る端末装置、連動制御装置及びイベント用演出システムを適用した場合の実施形態である。
【００４４】
１．イベント演出システムの構成
まず、図１を用いて本発明に係るイベント演出システム１０における実施形態の構成について説明する。なお、図１は、本実施形態のイベント演出システム１０の構成を示す構成図である。
【００４５】
本実施形態のイベント演出システム１０は、図１に示すように、無線通信機能を有する複数のペンライト１００と、中継器２００を介して各ペンライト１００とデータの授受を行いつつ、各ペンライト１００を制御する制御装置３００と、から構成される。そして、各ペンライト１００、制御装置３００及び中継器２００は、所定の通信規格を用いてデータの授受を行うことができるようになっている。
【００４６】
特に、イベント演出システム１０は、制御装置３００と離隔して形成され、各ペンライト１００と無線通信によってデータの授受を行う中継器２００を設け、イベント会場内の電波状況の悪い場所に制御装置３００を設置しなければならない場合であっても、また、大多数のペンライト１００と通信を実行する場合であっても、中継器２００を電波状況の良い場所に設置することができるので、あらゆる場所で本システムを用いることができるようになっている。
【００４７】
また、本実施形態のイベント演出システム１０は、イベント用の演出に用いるミキサー及びＰＡシステムなどの拡声機能を有する拡声制御卓４００及び舞台照明及び会場照明を制御する調光制御卓５００と連動するとともに、制御装置３００から出力された音信号を増幅する電力増幅器ＰＡと、増幅された音信号を拡声するスピーカＳＰと、を備えている。
【００４８】
ペンライト１００は、ユーザにおける当該イベントへの演出に参加するために用いられ、制御装置３００とにおいてデータの授受を行うようになっている。
【００４９】
また、制御装置３００は、イベントの演出に関する制御及びペンライト１００をイベントの演出に連動させるための制御など、種々の制御を行うようになっている。
【００５０】
そして、本実施形態のイベント演出システム１０においては、各ペンライト１００は、制御装置３００によって、ペンライト１００の複数の発光態様（すなわち、演出態様）を制御することができるようになっており、コンサートなどのイベントにおいて演出機器と連動することができるようになっている。
【００５１】
例えば、本実施形態の演出機器としては、イベント用の演出に用いるカラオケ再生機能及びミキシング機能を有する拡声制御卓４００、及び、イベント会場の照明及び舞台照明を調整する調光制御卓５００が含まれる。なお、移動床、回り舞台または迫りなどの舞台装置が含まれる舞台装置（図示しない）がある場合には、舞台装置を制御する舞台制御盤（図示しない）と連動させることができるようになっている。
【００５２】
また、本実施形態におけるイベント演出システム１０の発光状態の制御としては、コンサートにおける音楽に合わせて発光色やその発光（点灯）または消灯タイミングを制御すること、舞台演出に合わせて全てのペンライト１００を消灯させること、及び、会場の所定のエリア毎に他のエリアとは異なる色を発光させることなどが含まれる。
【００５３】
特に、イベント演出システム１０は、ペンライト１００に双方向通信機能及びバッファ機能を持たせ、制御装置３００から各ペンライト１００にイベントに関するデータ（以下、「端末演出制御データ」という。）を送信させ、当該端末演出制御データに基づいて、ペンライト１００の複数の発光態様を制御させることができるようになっている。
【００５４】
また、イベント演出システム１０は、ユーザの意志を示すデータ（すなわち、ユーザによって操作入力されたデータ（以下、「操作入力データ」という。））の収集と演出機器への当該ユーザの意志の反映などユーザ操作に基づく演出機器の制御を実行することができるようになっている。
【００５５】
例えば、イベント演出システム１０は、ユーザの意志を示す操作入力データに基づいて、制御装置３００及び当該制御装置３００を介して拡声制御卓４００及び調光制御卓５００と連動させることができるようになっており、ユーザの意志をもイベントの演出に反映させることもできるようになっている。
【００５６】
さらに、イベント演出システム１０において、ペンライト１００は、端末演出制御データを、ユーザの操作入力によって設定して記憶することも可能であり、ペンライト１００が制御装置３００と連動せずに複数の発光態様を実行することもできるようになっている。
【００５７】
このように本実施形態のイベント演出システム１０は、ユーザの意志をイベントの演出に反映させること、イベント中にユーザによる煩雑な操作を不要にすること、ユーザを確実にイベントに参加させることができるとともに、ユーザが参加する演出を通してイベントにおける一体感を高めることができるようになっている。
【００５８】
２．ペンライト
次に、図２及び図３を用いて本実施形態の各ペンライト１００における構成及び各部の動作について説明する。なお、図２は、本実施形態におけるペンライト１００の構成を示す外観斜視図であり、図３は、本実施形態におけるペンライト１００の構成を示す機能ブロック図の一例である。
【００５９】
各ペンライト１００は、複数の異なる色を自発光し、複数の発光状態（すなわち、演出態様）を実行することが可能な発光部１０１と、ユーザによって把持される把持部１０２と、把持部１０２に形成されたユーザ操作を入力するための操作部１０３と、を有している。
【００６０】
発光部１０１は、図３に示すように、ペンライト１００の先端に所定の長さの円筒形状によって形成されており、把持部１０２と接続されている。そして、発光部１０１は、円筒形状の中心軸を中心に全方位に複数の異なる色を自発光するように構成されている。
【００６１】
例えば、発光部１０１は、フルカラーの単一の発光ユニットから構成されている。また、発光部１０１は、各色によってそれぞれ発光または全ての色が発光する他に、所定のタイミングで各色の発光、消灯、点滅、または、それらを繰り返しなど複数の所定の演出態様を実行するように構成されている。
【００６２】
なお、発光部１０１は、赤、青、緑にそれぞれ単色自発光する発光ユニットから構成され、それぞれの各色の発光ユニットは、複数のＬＥＤから構成されていてもよい。
【００６３】
把持部１０２は、ユーザが片手で軽く把持できる程度の長さを有する細長い円筒形によって形成されおており、内部に発光部１０１の駆動源となる電源、すなわち、乾電池または充電池などの動力源を収容することができるようになっている。
【００６４】
操作部１０３は、把持部１０２に形成されたユーザ操作を入力するための操作部１０３と把持部１０２と発光部１０１の間に把持部１０２と一体的に形成されているとともに、その一面（表面）であって、把持した状態でプレーヤ（ユーザ）の指先によって操作入力可能な位置に、ＬＥＤを備えた３つのボタンを有している。
【００６５】
なお、操作部１０３は、３つのボタンに限らず、それ以下でもそれ以上でもボタンを有していてもよい。また、操作部１０３は、例えば、レバー、マイクまたはタッチパネル型ディスプレイなどにより実現されていてもよい。
【００６６】
また、各ペンライト１００は、振動やペンライト１００の向きを検出する加速度検出部１１０と、操作データ及び端末演出制御データが記憶される記憶部１２０と、制御装置３００と通信を行う無線通信部１３０と、通信制御を含むペンライト１００における演出を実行するための処理を行う処理部１４０と、を備えている。
【００６７】
加速度検出部１１０は、例えば、３軸の加速度センサによって形成されており、互いに直交する３軸方向（ｘ軸方向、ｙ軸方向、ｚ軸方向）の加速度を検出する。具体的には、加速度検出部１１０は、一定時間（例えば、５ｍｓｅｃ）毎に３軸分それぞれの加速度を検出し、ペンライト１００が振られたときの振動数及びペンライト１００の向きを認識するために、検出された加速度ベクトル（ガイドベクトル）を処理部１４０に出力するようになっている。
【００６８】
なお、処理部１４０は、検出された加速度ベクトルに基づいて、ペンライト１００の向き及び振動回数などを認識することができるようになっている。
【００６９】
記憶部１２０は、処理部１４０及び無線通信部１３０などのワーク領域となるもので、その機能はＲＡＭなどのハードウェアにより実現できる。具体的には、本実施形態の記憶部１２０は、各種の制御プログラムその他のデータが記憶される主記憶部１２１、操作入力データを記憶する第１のバッファ１２２と、自機における複数の端末演出制御データを記憶する第２のバッファ１２３と、自機の固有のＩＤ、ＭＡＣアドレス（Ｍｅｄｉａ  Ａｃｃｅｓｓ  Ｃｏｎｔｒｏｌ  Ａｄｄｒｅｓｓ）及び制御装置３００とデータの授受を行うために必要な情報が記憶される各種設定情報記憶部１２４と、を有している。
【００７０】
特に、第１のバッファ１２２には、処理部１４０の制御の下、親局主導通信に設定された場合に、操作部１０３によって操作された操作入力データが記憶される。
【００７１】
また、第２のバッファ１２３には、制御装置３００から逐次送信され、演出実行時刻の情報及び発光部１０１を制御するためのデータ（以下、「命令データ」という。）を有する複数の端末演出制御データが記憶されている。
【００７２】
なお、第１のバッファ１２２及び第２のバッファ１２３は、例えば主記憶の一部に設けられてソフトウエア的によって読み書きの制御が行われる構成でもよい。
【００７３】
無線通信部１３０は、制御装置３００との間で無線通信を行うための各種制御を行うものであり、その機能は、各種プロセッサ又は通信用ＡＳＩＣなどのハードウェアや、プログラムなどにより実現できるようになっている。特に、無線通信部１３０は、操作入力データその他のデータを送信するとともに、端末演出制御データ及び各種の指示データを受信するようになっている。
【００７４】
処理部１４０（プロセッサ）は、記憶部１２０内の主記憶部１２１をワーク領域として各種処理を行う。処理部１４０の機能は各種プロセッサ（ＣＰＵ、ＤＳＰ等）、ＡＳＩＣ（ゲートアレイ等）などのハードウェアや、プログラムにより実現できる。
【００７５】
具体的には、処理部１４０は、操作部１０３から入力された操作データ、受信した各種のデータ及びプログラムなどに基づいて、制御装置３００と同期を確立し、記憶された端末演出制御データの実行時刻（以下、「演出実行時刻」という。）を管理する時刻管理、データの記憶及び読み出しを制御する記憶制御処理、操作部１０３における操作入力を制御する操作入力処理、発光部１０１を制御する演出制御処理、無線通信部１３０を制御する通信制御などの各種の処理を行う。
【００７６】
また、処理部１４０は、時刻管理部１４１、記憶制御部１４２、操作入力処理部１４３、演出制御部１４５、通信制御部１４６を含む。ただし、これらの一部を省略する構成としてもよい。
【００７７】
なお、例えば、本実施形態の無線通信部１３０及び通信制御部１４６は、本発明の取得手段を構成し、発光部１０１は、本発明の演出手段を構成する。また、例えば、本実施形態の演出制御部１４５は、本発明の演出手段を構成し、操作入力処理部１４３は、本発明の操作入力手段を構成する。さらに、例えば、操作部１０３は、本発明の操作手段を構成し、記憶部１２０は、本発明の記憶手段を構成する。
【００７８】
３．中継器及び制御装置
次に、図４を用いて本実施形態の中継器２００及び制御装置３００における構成及び各部の動作について説明する。なお、図４は、本実施形態における中継器２００及び制御装置３００の構成を示す機能ブロック図の一例である。
【００７９】
中継器２００は、図４に示すように、演出制御データ群やＭＡＣアドレスなどの固有のＩＤを記憶する記憶部２１０、無線通信部２２０、有線通信部２３０及び制御部２４０から構成される。なお、これらの一部を省略する構成としてもよい。また、中継器２００は、本発明の通信ユニットを構成する。
【００８０】
記憶部２１０は、制御部２４０、無線通信部２２０及び有線通信部２３０などのワーク領域となるもので、その機能はＲＡＭなどにより実現できる。また、記憶部２１０には、プログラムデータ（命令データ）など各ペンライト１００に配信すべき種々のデータが記憶される。
【００８１】
特に、この記憶部２１０には、制御装置３００において生成された複数の端末演出制御データを有する演出制御データ群が、ペンライト１００に送信される際に、記憶される。なお、記憶された制御データ群は、制御部２４０の制御の下、所定のタイミングでペンライト１００に再送される。
【００８２】
無線通信部２２０は、各ペンライト１００との間で無線通信を行うための各種制御を行うものであり、その機能は、各種プロセッサ又は通信用ＡＳＩＣなどのハードウェアや、プログラムなどにより実現できるようになっている。特に、無線通信部２２０は、各ペンライト１００から送信されたデータを制御装置３００に転送し、制御装置３００から送信されたデータを各ペンライト１００に転送するようになっている。
【００８３】
有線通信部２３０は、制御装置３００との間で有線通信を行うための各種制御を行うものであり、その機能は、各種プロセッサ又は通信用ＡＳＩＣなどのハードウェアや、プログラムなどにより実現できるようになっている。特に、有線通信部２３０は、制御装置３００との間で、種々のデータの転送を行うようになっている。
【００８４】
制御部２４０（プロセッサ）は、記憶部２１０をワーク領域として各種処理を行う。制御部２４０の機能は各種プロセッサ（ＣＰＵ、ＤＳＰ等）、ＡＳＩＣ（ゲートアレイ等）などのハードウェアや、プログラムにより実現できる。
【００８５】
特に、制御部２４０は、無線通信部２２０及び有線通信部２３０を制御する通信制御、及び、制御装置３００と同期を確立するための各種の制御を行う同期管理などの各種の処理を行う。具体的には、制御部２４０は、通信制御部２４１及び同期管理部２４２を含む。ただし、これらの一部を省略する構成としてもよい。
【００８６】
制御装置３００は、図４に示すように、記憶部３１０、情報記憶媒体３２０、操作部３３０、表示部３４０、音出力部３５０、第１通信部３６０、第２通信部３８０、及び、管理・制御部３７０から構成される。なお、これらの一部を省略する構成としてもよい。また、制御装置３００は、本発明の制御ユニットを構成する。
【００８７】
記憶部３１０は、処理部１４０、第１通信部３６０及び第２通信部３８０などのワーク領域となるもので、その機能はＲＡＭなどにより実現できる。また、記憶部３１０には、各ペンライト１００に配信すべき種々のデータ、登録された各ペンライト１００のＩＤ、及び、当該ＩＤに関するデータが記憶される。
【００８８】
情報記憶媒体３２０（コンピュータにより読み取り可能な媒体）は、プログラムやデータなどを格納するものであり、その機能は、光ディスク（ＣＤ、ＤＶＤ）、光磁気ディスク（ＭＯ）、磁気ディスク、ハードディスク、磁気テープ、或いはメモリ（ＲＯＭ）などにより実現できる。
【００８９】
なお、管理・制御部３７０は、情報記憶媒体３２０に格納されるプログラム（データ）に基づいて本実施形態の種々の処理を行う。また、情報記憶媒体３２０には、本実施形態の各部としてコンピュータを機能させるためのプログラム（各部の処理をコンピュータに実行させるためのプログラム）を記憶することができる。
【００９０】
第１通信部３６０は、中継器２００を介してペンライト１００との間で通信を行うための各種制御を行うものであり、その機能は、各種プロセッサ又は通信用ＡＳＩＣなどのハードウェアや、プログラムなどにより実現できる。特に、第１通信部３６０は、中継器２００を介して各ペンライト１００との間で、操作入力データ、指示データ及び端末演出制御データの授受を実行するようになっている。
【００９１】
第２通信部３８０は、拡声制御卓４００及び調光制御卓５００と連動するために、当該拡声制御卓４００及び調光制御卓５００との間で通信を行うための各種制御を行うものであり、その機能は、各種プロセッサ又は通信用ＡＳＩＣなどのハードウェアや、プログラムなどにより実現できる。特に、第２通信部３８０は、拡声制御卓４００及び調光制御卓５００とイベントの演出を連動させるためのデータの授受を実行するようになっている。
【００９２】
操作部３３０は、システム管理者が操作データを入力するためのものであり、その機能は、レバー、ボタン、ステアリング、マイク、タッチパネル型ディスプレイ、或いは筺体などにより実現できる。
【００９３】
表示部３４０は、本実施形態により生成された画像を出力するものであり、その機能は、ＣＲＴまたはＬＣＤなどのハードウェアにより実現できる。
【００９４】
音出力部３５０は、本実施形態により生成された音を出力するものであり、再生装置３９０などから出力されたデジタル信号のアナログ信号への変換を行うＤ／Ａ変換機能、及び、ミキシング機能などのハードウェアまたはプログラムにより実現できる。
【００９５】
なお、音出力部３５０には、当該音出力部３５０から出力されたアナログ信号を拡声するための電力増幅器ＰＡ及びイベント会場に設置された各スピーカＳＰが接続されている。
【００９６】
管理・制御部３７０（プロセッサ）は、記憶部３１０をワーク領域として各種処理を行う。処理部１４０の機能は各種プロセッサ（ＣＰＵ、ＤＳＰ等）、ＡＳＩＣ（ゲートアレイ等）などのハードウェアや、プログラムにより実現できる。
【００９７】
また、管理・制御部３７０は、同期の確立を含む端末管理、端末演出制御データや演出制御データ群を生成するデータ生成処理、各ペンライト１００と拡声制御卓４００と調光制御卓５００との連動を制御する連動管理、再生装置３９０を制御する再生制御、表示部３４０を制御する表示制御の各種の処理を行う。具体的には、管理・制御部３７０は、端末管理部３７１、データ生成部３７２、連動管理部３７３、再生制御部３７６、表示制御部３７４及び時刻制御部３７５を含む。なお、これらの一部を省略する構成としてもよい。
【００９８】
再生装置３９０は、光ディスク（ＣＤ、ＤＶＤ）ドライブ、光磁気ディスク（ＭＯ）ドライブ、磁気ディスクドライブ、ハードディスクドライブ、磁気テープ再生機構、或いはメモリ（ＲＯＭ）読み書き機構及びそれらを駆動するプログラムなどにより実現できる。
【００９９】
４．本実施形態の手法
４．１  操作入力データに基づくイベント演出
４．１．１  概要
次に、本実施形態のイベント演出システム１０における操作入力データに基づくイベント演出について説明する。
【０１００】
本実施形態のイベント演出システム１０において、各ペンライト１００は、イベントの演出に関するユーザによる操作入力を受け付けるとともに、当該受け付けた操作入力を、イベントの演出に連動させるために、操作入力データとして制御装置３００に送信することができるようになっている。
【０１０１】
具体的には、本実施形態のイベント演出システム１０においては、制御装置３００によって許可された場合に、自発的にペンライト１００から操作データを送信する子局主導通信と、制御装置３００の指示の下に、ペンライト１００において操作入力が実行されて送信許可があった場合に、操作データを送信する親局主導通信と、を状況に応じて（すなわち、切り換えて）使用することができるようになっている。
【０１０２】
そして、イベント演出システム１０においては、各ペンライト１００からイベントの演出に連動する制御装置３００にユーザの意志をデータとして送信することができるようになっている。また、イベント演出システム１０においては、操作入力データに基づいて拡声制御卓４００及び調光制御卓５００などのイベントを演出するための各演出機器または制御装置３００における再生装置３９０を制御させることができるようになっており、ユーザの意志をイベントの演出に反映させることができるようになっている。
【０１０３】
したがって、本実施形態のイベント演出システム１０は、ユーザの意志をイベントの演出に反映させることができるとともに、ユーザが参加する演出を通してイベントにおける一体感を高めることができるようになっている。
【０１０４】
特に、各ペンライト１００は、親局主導通信においては、操作入力データを一時的に第１のバッファ１２２に記憶し、制御装置３００の指示の下、第１のバッファ１２２に記憶した操作入力データを読み出して制御装置３００に送信することができるようになっている。
【０１０５】
通常、一台の通信制御装置３００（親局）と多数の通信端末装置（子局）における通信システムにおいては、子局から親局に自発的に通信する方式の場合であって、多数の子局が一斉に親局と通信を行う場合には、多くの輻輳が発生し、親局と通信を行うことができない子局が多く発生する。
【０１０６】
そこで、本実施形態の各ペンライト１００においては、制御装置３００の制御の下、自機からの操作入力データを送信するタイミングが制御され、多数のペンライト１００が用いられるイベントにおいて一斉に他のペンライト１００とともに操作入力データを送信しなければならない場合であっても、確実に自機の操作入力データを制御装置３００に送信することができるようになっている。
【０１０７】
４．１．２  制御装置において実行される処理
次に、本実施形態の操作入力データに基づくイベント演出における制御装置３００について説明する。
【０１０８】
端末管理部３７１には、各ペンライト１００の識別番号などの固有のＩＤが、予め実行された各ペンライト１００との通信によって登録されている。そして、端末管理部３７１は、当該ＩＤに基づいて各ペンライト１００を管理する。
【０１０９】
また、端末管理部３７１は、予め定められた指示に基づいて、子局主導通信を実行する。具体的には、端末管理部３７１は、操作部３３０によって入力された指示など予め定められた指示を検出した場合に、第１通信部３６０を介して、子局主導通信を許可する指示データを全てのペンライト１００に一斉送信し、さらに、操作部３３０によって入力された指示などによって子局主導通信を禁止する指示データを全てのペンライト１００に一斉送信するまで子局主導通信を実行する。
【０１１０】
一方、端末管理部３７１は、管理者の操作部３３０における操作指示、イベント中の予め定められた時刻、または、拡声制御卓４００からの指示など多くのペンライト１００と親局主導通信の実行が指示された場合には、全てのペンライト１００に、当該親局主導通信の開始指示データを、一斉送信（ブロードキャスト）する。
【０１１１】
また、端末管理部３７１は、親局主導通信の開始指示データを送信すると、登録されているペンライト１００のＩＤと操作入力データを一度に受信可能な数とに基づいて、操作入力データの送信を許可する複数のペンライト１００を抽出するとともに、抽出したペンライト１００に対して操作入力データのデータ送信指示を示す指示データをデータ生成部３７２に生成させる。
【０１１２】
そして、端末管理部３７１は、通信制御部１４６及び中継器２００を介してデータ生成部３７２に生成させた送信指示データを全てのペンライト１００に向けて一斉送信する。
【０１１３】
例えば、データ生成部３７２は、端末管理部３７１の指示に基づいて、ＩＤの番号順またはＩＤ登録された際の登録順など所定の順序において、所定の台数毎にペンライト１００を抽出するとともに、抽出したペンライト１００のＩＤを含めた指示データを生成する。
【０１１４】
なお、抽出したペンライト１００における操作入力データの送信タイミング（送信時刻）は、当該指示データ内におけるペンライト１００のＩＤの構成順によって定まることになる。
【０１１５】
なお、本実施形態は、第１通信部３６０は、異なる通信チャンネルによって複数の中継器２００を識別可能であって、かつ、接続可能となっており、各中継器２００は、それぞれ、複数のペンライト１００との通信が可能となっている。
【０１１６】
他方、端末管理部３７１は、送信した送信指示データに含まれるＩＤを有するペンライト１００の全てから操作入力データを受信した場合には、次に送信指示データを送信すべきペンライト１００を抽出し、第１通信部３６０及び中継器２００を介してデータ生成部３７２に生成させた送信指示データを一斉送信する。
【０１１７】
なお、端末管理部３７１は、順次、複数のペンライト１００毎に送信指示データを送信しつつ、送信指示データに含まれるペンライト１００からの各操作入力データを受信する処理を、登録されている全てのペンライト１００または操作入力データを受信すべきペンライト１００の全てから操作入力データを受信するまで、繰り返す。
【０１１８】
連動管理部３７３は、中継器２００及び第１通信部３６０を介して各ペンライト１００の操作入力データを受信すると、受信した各操作入力データに基づいて、第２通信部３８０を介して拡声制御卓４００及び調光制御卓５００を制御し、または、再生制御部３７６を介して再生装置３９０を制御し、音の出力、または、音楽（カラオケ）の再生制御、会場照明または舞台照明などの調光制御を行うことができるようになっている。
【０１１９】
すなわち、連動管理部３７３は、受信した操作入力データに基づいて、拡声制御卓４００、調光制御卓５００、再生装置３９０またはそれらのいくつかを制御し、拡声制御卓４００、調光制御卓５００、再生装置３９０またはそれらのいくつかに所定の演出を実行させる。
【０１２０】
例えば、所定の演出には、アンケートに対応付けた操作入力を実行させた場合には、当該アンケートに基づいて、複数の中から一のスポットライトを選択する（集計結果で一番多いスポットライトの選択）、若しくは、アンケートに基づく複数の音の中から一の音を出力するイベントの演出が含まれる。また、所定の演出としては、ペンライト１００の振動数が操作入力の場合には、全てのペンライト１００または所定のグループに属する全てのペンライト１００における振動数の合計を算出し、当該合計数に基づいて、舞台照明の明るさを変更する、若しくは、再生装置３９０または拡声制御卓４００から出力される音または音楽の音量を変更する演出が含まれる。
【０１２１】
４．１．３  ペンライトにおいて実行される処理
次に、本実施形態の操作入力データに基づくイベント演出におけるペンライト１００について説明する。
【０１２２】
本実施形態のペンライト１００は、制御装置３００と連動して子局主導通信及び親局主導通信を実行し、操作入力データを制御装置３００に送信するようになっている。
【０１２３】
具体的には、ペンライト１００は、親局主導通信としては、イベントの演出に関するユーザによる操作入力を受け付けるとともに、イベントの演出に連動させるために受け付けた操作入力を操作入力データとして制御装置３００に送信する。
【０１２４】
また、ペンライト１００は、制御装置３００から操作入力データのデータ送信指示を示す送信指示データを受信した場合に、処理部１４０の制御の下、操作入力データを制御装置３００に送信するようになっている。
【０１２５】
特に、ペンライト１００は、無線通信部１３０が送信指示データを受信するまで、受け付けた操作入力データが記憶される記憶部１２０を有している。すなわち、ペンライト１００は、該当する指示データ（自機の送信が許可されたことを示す指示データ）を受信するまで記憶する。
【０１２６】
通信制御部１４６は、操作入力処理部１４３と連動し、操作部１０３における所定の操作に基づいて、子局主導通信を行う場合には、子局主導通信を行う旨の指示を制御装置３００に送信するとともに、制御装置３００における当該子局主導通信の許可を示すデータを受信した場合に、操作入力を許可し、入力された操作入力を操作入力データとして無線通信部１３０を介して制御装置３００に送信する。
【０１２７】
また、通信制御部１４６は、操作入力処理部１４３と連動し、無線通信部１３０を介して親局主導通信の開始指示データを受信すると、親局主導通信を行う。
【０１２８】
特に、通信制御部１４６は、当該親局主導通信の開始指示データを受信すると、操作入力処理部１４３は、加速度検出部１１０による振動数またはペンライト１００の向き、操作部１０３における３つのボタンのうち選択されたボタンの種類（番号）など操作部１０３における操作入力の受付を許可する。そして、記憶制御部１４２は、操作入力処理部１４３と連動して受け付けた操作入力を操作入力データとして記憶部１２０（具体的には、第１のバッファ１２２）に記憶する。
【０１２９】
また、通信制御部１４６は、親局主導通信において、通信制御部１４６が該当する送信指示データ、すなわち、自機における操作入力データの送信指示を含む送信指示データを受信した場合に、記憶制御部１４２と連動して記憶部１２０に記憶された操作入力データを読み出して制御装置３００に送信する。
【０１３０】
なお、通信制御部１４６は、通信制御部１４６が自機における操作入力データの送信指示を含まない送信指示データを受信した場合に、操作入力データの送信を実行しないようになっている。
【０１３１】
また、記憶制御部１４２は、入力された操作入力を受け付けて記憶部１２０に記憶した場合には、当該記憶した操作入力データを制御装置３００に送信するまで、操作入力しても上書きされないようにしてもよいし、該当する指示データ（すなわち、自機のＩＤを含む指示データ）を受信するまで上書きを繰り返してもよい。
【０１３２】
さらに、操作部１０３に確定ボタンまたはキャンセルボタンなどの操作入力を確定またはキャンセルさせるため各種のボタンを設け、操作入力処理部１４３は、当該ボタンの操作に基づいて、操作入力を受け付けてもよく、記憶制御部１４２は、操作入力が振動数などの複数の操作入力が必要な場合には、記憶された操作入力データに新たに入力された操作入力を加算して記憶部１２０に記憶するようにしてもよい。
【０１３３】
一方、本実施形態のペンライト１００は、イベントの演出に連動するための演出を実行するとともに、処理部１４０の制御の下、子局主導通信または親局主導通信時において、操作入力を受け付けたとき、または、当該操作入力を制御装置３００に送信するときに、自機の発光状態など所定の演出を実行する。特に、ペンライト１００は、受信した端末演出制御データに基づいて当該発光部１０１の発光状態を変化させる。
【０１３４】
具体的には、演出制御部１４５は、操作入力部によって操作入力が受け付けられたとき、または、当該操作入力の入力中（すなわち、受付中）に、及び、記憶制御部１４２によって記憶部１２０に記憶された操作入力データを制御装置３００に送信するときに、発光部１０１を制御して所定の演出を実行する。
【０１３５】
例えば、演出制御部１４５は、操作部１０３における３つのボタンのうち一のボタンが押し下げられた場合に、赤や青など所定の色を発光させ、または、振動数を入力している際に、所定の色の発光及び消灯を繰り返す発光態様（点滅）を発光部１０１に実行させる。
【０１３６】
また、演出制御部１４５は、記憶制御部１４２によって記憶部１２０に記憶された操作入力データを送信するときに、記憶部１２０に記憶された操作データに基づいて発光部１０１の発光色または発光態様を変化させて演出態様を実行する。
【０１３７】
特に、演出制御部１４５は、操作入力部によって操作入力が受け付けられたとき、操作部１０３における３つのボタンのうち選択されたボタンの種類（番号）に応じて発光する色を変化させる。
【０１３８】
なお、本実施形態においては、親局主導通信によって該当するペンライト１００のみから操作入力データが一時記憶されて制御装置３００に送信されるようになっているが、当該操作入力データを操作入力後に記憶することなく、操作部１０３によって入力された操作入力を、即時的に制御装置３００に送信することも可能な構成を有している。
【０１３９】
また、操作部１０３における所定の操作、または、制御装置３００からの所定のデータの受信に基づいて、子局主導通信と親局主導通信を切り換えることができるようになっている。
【０１４０】
４．２  イベントにおけるペンライト制御（制御装置における連動制御）
４．２．１  概要
次に、本実施形態のイベント演出システム１０のイベントにおけるペンライト制御（制御装置における連動制御）について説明する。
【０１４１】
本実施形態のイベント演出システム１０は、音の出力または音楽（カラオケ）の再生、会場照明または舞台照明などの調光などイベントの演出に伴って各ペンライト１００を制御するようになっている。すなわち、本実施形態のイベント演出システム１０は、イベントの演出に伴ってペンライト制御を行う。
【０１４２】
特に、本実施形態のイベント演出システム１０において、ペンライト１００は、複数の演出態様を実行することが可能であって、複数の演出態様の組み合わせが規定された端末演出制御データを、制御装置３００から取得するとともに、取得された端末演出制御データを記憶する。そして、ペンライト１００は、イベントの進行時刻に従って記憶した端末演出制御データを読み出し、当該読み出した端末演出制御データに基づいて前記演出手段の演出態様の実行を制御することができるようになっている。
【０１４３】
すなわち、本実施形態のペンライト１００は、制御装置３００と同期しつつ、発光部１０１の発光態様を制御する時刻である演出実行時刻を有する端末演出制御データを演出実行時刻までに受信する。
【０１４４】
そして、ペンライト１００は、制御装置３００と同期された進行時刻が演出実行時刻または当該演出実行時刻以降になったタイミングによって、対応する端末演出制御データを読み出し、当該読み出した端末演出制御データに基づいてイベントの演出に連動するための演出を実行することができるようになっている。
【０１４５】
このように、本実施形態においては、ペンライト１００は、制御装置３００から演出態様を予め取得して記憶することができるので、演出態様を制御する端末演出制御データを的確に取得し、イベント中であっても当該演出態様を確実に実行することができるようになっている。
【０１４６】
すなわち、ペンライト１００は、予め端末演出制御データを演出実行時刻までに受信して記憶することができるので、制御装置３００によって演出実行時刻までは繰り返して端末演出制御データを送信することも可能となり、通信障害、送信エラーまたは受信エラーなど種々の問題による未受信を防止することができるようになっている。
【０１４７】
したがって、本実施形態においては、ユーザを確実にイベントに参加させることができるので、ユーザが参加する演出を通してイベントにおける一体感を高めることができる。
【０１４８】
そして、ペンライト１００は、的確に制御装置３００からの指示を受信し、確実にイベントの演出を実行することができるとともに、端末演出制御データを実行するタイミングを制御装置３００と同期することができるので、イベントの演出と自機が実行する演出を確実に連動させることができるようになっている。
【０１４９】
４．２．２  演出制御データ群（端末演出制御データ）
次に、図５及び図６を用いて本実施形態のイベントにおけるペンライト制御（制御装置における連動制御）に用いる演出制御データ群（端末演出制御データ）について説明する。
【０１５０】
なお、図５は、制御装置３００から各ペンライト１００に送信される演出制御データ群の一例であり、図６は、本実施形態における演出制御データ群に含まれる端末演出制御データを説明するための図である。
【０１５１】
端末演出制御データは、制御装置３００において、演出実行時刻が連続する他の複数の端末演出制御データとともに、パケット構造を有する演出制御データ群として生成されて全てのペンライト１００に一斉送信される。そして、各ペンライト１００において自機に該当する端末演出制御データを取得した場合に、取得した端末演出制御データは、第２のバッファ１２３に記憶され、該当する進行時刻にまたはそれ以降の時刻に読み出さて実行される。
【０１５２】
演出制御データ群は、最大サイズ内において、一定数、一定量または一定時間分の端末演出制御データを有している。
【０１５３】
例えば、全てのペンライト１００によって同一の端末演出制御データを有する演出制御データ群は、図５（Ａ）に示されるように、単一のスタート時刻または当該データ群の生成時に基準となるスタート時刻に基づく進行時刻（絶対基準時刻）を有するとともに、端末演出制御データ毎に、スタート時刻または絶対基準時刻からの差分時刻、すなわち、演出実行時刻を示すデータ（以下、「演出実行時刻データ」ともいう。）と、各ペンライト１００における発光部１０１を駆動するための命令データと、を有している。
【０１５４】
差分時刻としては、「０」秒、「＋１秒」及び「＋２秒」などのスタート時刻または当該絶対基準時刻からの差分時刻である。また、命令データとしては、命令Ａ、命令Ｂ及び命令Ｃなどの命令データであり、ペンライト１００の発光部１０１の発光態様を制御するためのデータである。
【０１５５】
なお、上記の演出制御データ群は、パケットＩＤなどの図示しないパケットを構築する上で必要な各種のデータを有している。また、ペンライト１００のＩＤは、複数あってもよく、また、ペンライト１００で認識可能であれば、所定のグループ毎のＩＤであってもよい。さらに、一の演出制御データ群に複数のペンライト１００のＩＤによってそれぞれ異なる命令データからなる端末演出制御データを有していてもよい。
【０１５６】
また、例えば、特定のペンライト１００によって実行される端末演出制御データを有する演出制御データ群は、図５（Ｂ）に示されるように、単一のスタート時刻または当該データ群の生成時に基準となる進行時刻（絶対基準時刻）を有するとともに、特定するペンライト１００のＩＤと、端末演出制御データ毎に、差分時刻及び命令データを有していてもよい。
【０１５７】
一方、演出制御データは、所定のタイミング毎に制御装置３００において生成されるとともに、演出制御データ群を生成する毎に、前回生成した演出制御データ群に含まれる演出進行時刻の早い端末演出制御データが削除され、かつ、演出進行時刻の遅い端末演出制御データが新たに組み込み込まれ、時刻的に順次端末演出制御データがオーバーラップされて（複数の端末演出制御データのうちその一部が重複されて）生成されて送受信される。
【０１５８】
例えば、現在時刻としてスタート時刻から５０秒後から５３秒後において（すなわち、進行時刻において）、１秒毎に演出実行時刻が１分から１分６秒までの各演出制御データ（すなわち、未来のデータ）を含む演出制御データ群が生成される場合には、図６（Ａ）に示すように、演出制御データ群が生成される毎に、前回生成された演出制御データ群に含まれる演出進行時刻の最も早い一の端末演出制御データが削除され、かつ、演出進行時刻の最も遅い一の端末演出制御データが新たに組み込み込まれる。
【０１５９】
すなわち、スタート時刻から５０秒後においては、演出実行時刻が１分から１分４秒までの各端末演出制御データを含む演出制御データ群が生成され、スタート時刻から５１秒後においては、演出実行時刻が１分１秒から１分５秒までの各端末演出制御データを含む演出制御データ群が生成される。また、スタート時刻から２０秒後においては、演出実行時刻が１分２秒から１分６秒までの各端末演出制御データを含む演出制御データ群が生成される。
【０１６０】
なお、現在時刻としてスタート時刻から５０秒後から５３秒後において（すなわち、進行時刻において）、１秒毎に演出実行時刻が１分から１分６秒までの各演出制御データを含む演出制御データ群が生成される場合には、図６（Ｂ）に示すように、所定のタイミング（２秒）毎に、前回生成された演出制御データ群を繰り返して前回生成した演出制御データ群に含まれる演出進行時刻の最も早い複数の（二の）端末演出制御データが削除され、かつ、演出進行時刻の最も遅い複数の（二の）端末演出制御データが新たに組み込まれた演出制御データ群が順次生成されてもよい。
【０１６１】
また、この場合には、制御装置３００または中継器２００においては、演出制御データが生成される毎に記憶され、スタート時刻から５１秒後及び５３秒後に、無線通信部１３０及び中継器２００を介して前回生成した演出制御データ群、すなわち、１分から１分４秒までの端末演出制御データを含む演出制御データ群、または、１分２秒から１分６秒までの端末演出制御データを含む演出制御データ群が再送信される。
【０１６２】
さらに、上記の演出制御データにおいては、演出時刻毎に命令Ａから命令Ｇまでの一の端末演出制御データが含まれているが、一の演出時刻に複数の端末演出制御データが含まれていてもよい。
【０１６３】
４．２．３  制御装置において実行される処理
次に、本実施形態のイベントにおけるペンライト制御時（制御装置における連動制御時）に、制御装置３００において実行される処理について説明する。
【０１６４】
本実施形態の制御装置３００は、イベント用の演出に用いる拡声制御卓４００及び調光制御卓５００、または、イベント用の演出に用いる再生装置３９０と連動する。また、制御装置３００は、同一の端末演出制御データを複数回繰り返して各ペンライト１００に送信する。
【０１６５】
特に、制御装置３００は、進行時刻を管理しつつ、各ペンライト１００を管理し、上述の演出制御データ群を生成するようになっており、同一の端末演出制御データを繰り返してペンライト１００に送信する。
【０１６６】
連動管理部３７３は、第２通信部３８０を介して拡声制御卓４００または調光制御卓５００から所定の演出データの受信制御及び再生制御部３７６を介して再生装置３９０から所定の音楽データの再生制御を実行するとともに、データ生成部３７２に所定のデータを提供する。
【０１６７】
例えば、連動管理部３７３は、音楽データに基づく端末演出制御のプログラムデータを有しており、当該プログラムに従って、再生装置３９０における音楽データの再生制御を行いつつ、再生された音楽を音出力部３５０及び電力増幅器ＰＡを介してスピーカＳＰから出力させる。そして、連動管理部３７３は、音楽データに従って規定された演出制御データに基づいて調光卓を制御して舞台照明、会場照明などを制御させる。
【０１６８】
また、連動管理部３７３は、当該プログラムに従ってペンライト１００の発光態様を制御するためのデータをデータ生成部３７２に出力する。特に、連動管理部３７３は、端末管理部３７１における登録された各ペンライト１００のＩＤに基づいて、全てのペンライト１００を同時に同一の演出制御を行うこと、グループ毎またはペンライト１００毎に異なる演出制御を行うことが可能となっており、当該データに基づいて、このような端末演出制御データを有する演出制御データ群をデータ生成部３７２に生成させる。
【０１６９】
時刻制御部３７５は、中継器２００及び各ペンライト１００との同期を確立するために、イベントの演出を進行するための進行時刻を管理する。具体的には、時刻制御部３７５は、操作部１０３の指示その他の指示に基づいて、スタート時刻を定めつつ、中継器２００には所定の通信規約（プロトコル）に基づいて進行時刻を管理させるとともに、ペンライト１００とはスタート時刻からの差分（遅延）に基づいて、進行時刻を管理させる。
【０１７０】
例えば、中継器２００と同期をとる場合には、時刻制御部３７５は、所定のタイミング毎に、現在時刻を管理しつつ、第１通信部３６０を介して、各中継器２００に同期を確立する旨を送信し、当該同期の確立が指示された中継器２００から送信された要求パケットの受信時刻（Ｔ２）と当該要求パケットに対する応答パケットの送信時刻（Ｔ３）とを中継器２００に提供する。
【０１７１】
なお、このとき、中継器２００は、これらの提供された送信時刻（Ｔ３）及び受信時刻（Ｔ２）と、当該同期の確立が指示された際に時刻制御部３７５に送信した要求パケットの送信時刻（Ｔ１）と、時刻制御部３７５から送信された当該要求パケットに対する応答パケットの受信時刻（Ｔ４）と、に基づいて（式１）に示す時差ＤＴを算出し、中継器２００における時刻の修正を実行し、進行時刻に同期させる。
【０１７２】
時差ＤＴ  ＝  ｛（Ｔ２−Ｔ１）＋（Ｔ３−Ｔ４）｝／２            ・・・（式１）
【０１７３】
なお、ペンライト１００は、上述のように同期した中継器２００と同期させることよってが、制御装置３００に同期させる。具体的には、各ペンライト１００は、予め通信により遅延する時差を管理しており、中継器２００から送信されたパケットに付与されている進行時刻に所定の時差を加算して進行時刻に同期するようになっている。
【０１７４】
端末管理部３７１は、上述のように、各ペンライト１００の識別番号などの固有のＩＤに基づいて各ペンライト１００を管理しており、ペンライト１００が電源を投入したときなどの所定のタイミングで各ペンライト１００と通信を実行し、各ペンライト１００のＩＤを取得して管理を行う。特に、端末管理部３７１は、管理しているペンライト１００のＩＤを記憶部３１０に記憶して管理を行う。
【０１７５】
データ生成部３７２は、連動管理部３７３から提供された演出データ及び時刻制御部３７５から提供されたスタート時刻及び進行時刻に基づいて、各ペンライト１００にて実行される端末演出制御データを複数含む演出制御データ群を生成し、生成した演出制御データ群を第１通信部３６０及び中継器２００を介して一斉送信（ブロードキャスト）する。
【０１７６】
具体的には、データ生成部３７２は、所定のタイミング毎に、提供された演出データに基づいて演出実行時刻が現在時刻より所定の時間において未来の時刻であって複数の演出実行時刻に属する演出データに基づいて、複数の端末演出制御データを含む演出制御データ群を生成する。
【０１７７】
特に、データ生成部３７２は、上述するように、所定のタイミング毎に演出制御データ群を生成し、当該演出制御データ群を生成する毎に、前回生成した演出制御データ群に含まれる演出進行時刻の早い端末演出制御データを削除し、かつ、演出進行時刻の遅い端末演出制御データを新たに組み込み込んだ演出制御データ群、すなわち、時刻的にオーバーラップされた演出制御データ群を生成し、同一の端末演出制御データを複数回繰り返してペンライト１００に送信する。
【０１７８】
なお、このとき、第１通信部３６０は、所定のタイミング毎に、データ生成部３７２におけるデータ生成の有無を監視し、データ生成部３７２が新たな端末演出制御データを生成しないときは、無線通信部１３０及び中継器２００を介して前回生成し、記憶部３１０または記憶部２１０に記憶されている演出制御データをペンライト１００に再送信する。
【０１７９】
４．２．４  ペンライトにおいて実行される処理
次に、本実施形態のイベントにおけるペンライト制御時（制御装置における連動制御時）に、ペンライト１００において実行される処理について説明する。
【０１８０】
ペンライト１００は、制御装置３００から送信されたイベントの演出に関する端末演出制御データを受信し、当該受信した端末演出制御データを記憶するとともに、当該記憶した端末演出制御データを所定のタイミングで読み出し、当該読み出した端末演出制御データに基づいてイベントの演出に連動するための演出態様を実行するようになっている。
【０１８１】
特に、ペンライト１００は、制御装置３００と同期し、イベントの演出を進行するための進行時刻を管理するとともに、演出を実行するための演出実行時刻の情報を有する端末演出制御データを、当該演出実行時刻までに受信し、進行時刻が演出実行時刻または当該演出実行時刻以降になったタイミングによって、対応する端末演出制御データを読み出して当該読み出した端末演出制御データに基づいてイベントの演出に連動するための演出態様を実行するようになっている。
【０１８２】
そして、ペンライト１００は、演出実行時刻を含む、複数の端末演出制御データを記憶するようになっており、所定の条件を有する端末演出制御データを受信した場合には、当該受信した端末演出制御データを記憶せずに破棄するようになっている。
【０１８３】
この所定の条件には、受信した端末演出制御データが既に記憶されている端末演出制御データと同一であること、受信した端末演出制御データが自機に無関係の端末演出制御データであること、及び、記憶可能領域が無いことが含まれる。
【０１８４】
通信制御部１４６は、無線通信部１３０を介して演出を実行するための演出実行時刻の情報を時刻情報として有する端末演出制御データを当該演出実行時刻までに受信することができるようになっている。
【０１８５】
特に、通信制御部１４６は、演出制御データ群を受信すると、自機に該当する端末演出制御データが受信した演出制御データ群に含まれているか否かを判断するとともに、記憶制御部１４２は、第２のバッファ１２３に蓄積可能な領域があるか否かを判断する。
【０１８６】
そして、記憶制御部１４２は、演出制御データ群に、自機に該当する端末演出制御データが含まれ、かつ、第２のバッファ１２３に蓄積可能な領域があると判定すると、通信制御部１４６によって受信された演出制御データ群に含まれる該当する端末演出制御データを第２のバッファ１２３に記憶する。
【０１８７】
なお、記憶制御部１４２は、演出実行時刻については、進行時刻と同様の絶対時刻によって端末演出制御データを第２のバッファ１２３に記憶してもよいし、演出制御データ群に記述されたスタート時刻または基準時刻に基づく差分時刻よって端末演出制御データを第２のバッファ１２３に記憶してもよい。
【０１８８】
また、通信制御部１４６は、受信した演出制御データ群に自機の端末演出制御データが含まれていないと判断した場合には、当該受信した演出制御データを破棄するとともに、記憶制御部１４２は、第２のバッファ１２３に蓄積可能な領域が無いと判断した場合にも、当該受信された演出制御データ群を破棄する。
【０１８９】
例えば、受信された演出制御データ群にはペンライト１００Ａ及びペンライト１００Ｂに対するそれぞれ２０の端末演出制御データが含まれている場合であって、ペンライト１００Ａの第２のバッファ１２３には最大１０の端末演出制御データが記憶可能で、かつ、第２のバッファ１２３には既に１０の端末演出制御データが記憶されている場合には、ペンライト１００Ａにおける通信制御部１４６は、ペンライト１００Ｂにおける全ての端末演出制御データを破棄するとともに、当該ペンライト１００Ａにおける記憶制御部１４２は、受信したペンライト１００Ｂにおける全ての端末演出制御データを破棄する。
【０１９０】
演出制御部１４５は、第２のバッファ１２３に記憶された各端末演出制御データを管理し、時刻管理部１４１によって管理する進行時刻が演出実行時刻になったタイミングに、または進行時刻が演出実行時刻を経過した場合に、該当する端末演出制御データを読み出し、当該読み出した端末演出制御データに基づいて所定の演出態様を発光部１０１に実行させる。
【０１９１】
このとき、記憶制御部１４２は、演出実行時刻を過ぎた端末演出制御データについては第２のバッファ１２３から削除する。
【０１９２】
なお、記憶制御部１４２は、たとえ、端末演出制御データが演出制御部１４５において読み出されなかった場合であっても、進行時刻が演出実行時刻を過ぎている第２のバッファ１２３に記憶されている端末演出制御データを破棄する。
【０１９３】
ただし、演出制御部１４５は、演出実行時刻の早い順に第２のバッファ１２３に記憶されている端末演出制御データを実行し、進行時刻と演出実行時刻がずれている場合には、進行時刻と演出実行時刻が合うまで端末演出制御データを読み出して早送りで処理（例えば、通常の２倍の速さで処理する等）してもよい。この場合には、記憶制御部１４２は、実行した端末演出制御データを逐次削除する。
【０１９４】
また、演出制御部１４５は、時刻管理部１４１によって管理する進行時刻が演出実行時刻以降になったタイミングにおいて該当する端末演出制御データを読み出し、当該読み出した端末演出制御データに基づいて所定の演出を発光部１０１に実行させもよい。
【０１９５】
４．３  イベントにおけるペンライト制御（ペンライトにおける単独制御）
４．３．１  概要
次に、本実施形態のイベント演出システム１０のイベントにおけるペンライト制御（ペンライトにおける単独制御）について説明する。
【０１９６】
本実施形態のイベント演出システム１０は、イベントの演出が実行している際に、ユーザの操作入力によって設定された端末演出制御データに基づいて各ペンライト１００の演出態様を制御するようになっている。
【０１９７】
特に、本実施形態のイベント演出システム１０において、ペンライト１００は、複数の演出態様を実行することが可能であって、イベント開始前などの所定のタイミングで設定入力され、かつ、複数の演出態様の組み合わせが規定された端末演出制御データを記憶する。そして、ペンライト１００は、イベント中に記憶した端末演出制御データを読み出し、当該読み出した端末演出制御データに基づいて発光部１０１の演出態様の実行を制御することができるようになっている。
【０１９８】
４．３．２  ペンライトにおいて実行される処理
次に、本実施形態のイベントにおけるペンライト制御時（ペンライトにおける単独制御時）に、ペンライト１００において実行される処理について説明する。
【０１９９】
ペンライト１００は、端末演出制御データを設定入力されるとともに、設定入力された端末演出制御データを第２のバッファ１２３に記憶する。
【０２００】
操作入力処理部１４３は、操作部１０３及び加速度検出部１１０を介して入力設定された端末演出制御データを取得する。具体的には、操作入力処理部１４３は、発光ユニットにおける所定の色による発光またはその消灯の設定の他に、発光する発光時間または消灯する消灯時間の調整、発光と消灯の繰り返し回数及びそれらの組み合わせなどの演出態様を端末演出制御データとして操作部１０３及び加速度検出部１１０を用いて設定させる。
【０２０１】
そして、操作入力処理部１４３は、設定された端末演出制御データを第２のバッファ１２３に記憶する。
【０２０２】
なお、各種設定情報部１２４には、操作部１０３または加速度検出部１１０の操作に連動して実行する発光態様のプログラムデータなど発光部１０１における演出態様を設定するための種々のデータが既に記憶されている。そして、操作入力処理部１４３は、操作部１０３及び加速度検出部１１０によって選択された演出態様を規定するデータ、またはその組み合わせを端末演出制御データとして設定することができるようになっている。
【０２０３】
演出制御部１４５は、イベント中などの所定のタイミングにおいて、第２のバッファ１２３に記憶された端末演出制御データを読み出し、当該読み出した端末演出制御データに基づいて発光部１０１を制御する。
【０２０４】
なお、所定のタイミングとは、操作部１０３または加速度検出部１１０によって所定の入力がされたタイミング、または、制御装置３００から記憶された端末演出制御データを実行する旨の指示を受信したタイミングなどである。
【０２０５】
例えば、イベント中に、予め定められた合図に基づいてユーザが操作部１０３を操作することによって端末演出制御データの実行を指示すると、演出制御部１４５は、記憶された端末演出制御データを読み出してユーザが設定した演出態様に従って発光部１０１を制御する。
【０２０６】
また、イベント中に、無線通信部１３０が制御装置３００から上記の指示を受信すると、演出制御部１４５は、当該指示を受信したタイミングで記憶された端末演出制御データを読み出してユーザが設定した演出態様に従って発光部１０１を制御する。
【０２０７】
なお、発光部１０１は、端末演出制御データを実行に基づいて、発光ユニットの発光、消灯を制御して所定の演出態様を実行する。
【０２０８】
４．４  その他の処理
４．４．１  ペンライトの強制制御
本実施形態のイベント演出システム１０においては、上述のように、制御装置３００と連動させるため、ユーザの操作部１０３の操作によっては発光部１０１の発光態様を自由に制御することはできないようになっている。
【０２０９】
しかしながら、イベント中における所定の期間、イベントの開始前または終了時など、ユーザの操作に従って自由に操作することが望まれる場合もある。
【０２１０】
そこで、本実施形態においては、ペンライト１００は、操作部１０３によるユーザの操作入力に基づいて発光部１０１を制御する演出制御部１４５を有し、無線通信部１３０によって発光部１０１を制御するためのユーザの操作入力を無効にする強制無効データを受信した場合に、当該ユーザの操作入力を無効にするようになっている。
【０２１１】
具体的には、ペンライト１００は、操作部１０３によるユーザの操作入力に基づいて発光部１０１を制御するとともに、制御装置３００から送信されたユーザの操作入力を無効にする強制無効データを受信した場合に、当該ユーザの操作入力を無効にする。
【０２１２】
例えば、制御装置３００においては、端末管理部３７１は、該当するペンライト１００に対して当該ペンライト１００のＩＤを含めた強制無効データを生成する。そして、該当するペンライト１００においては、操作入力処理部１４３は、通信制御部１４６を介して強制無効データを受信した場合には、ユーザにおける操作入力を無効にする。
【０２１３】
すなわち、ペンライト１００は、常時、制御装置３００から送信された強制無効データを監視し、当該強制無効データを受信した場合には、演出制御部１４５は、当該ユーザの操作入力を無効にする。
【０２１４】
この構成により、本実施形態においては、ユーザの意志に基づいて自由にイベント演出に参加しつつも、連動制御装置３００主導の演出への切り換え、または、使用禁止など、イベント演出と確実に連動させることができるようになっている。
【０２１５】
５．本実施形態の処理
５．１  操作入力データに基づくイベント演出
次に、図７〜１４を用いて本実施形態における操作入力データに基づくイベント演出の詳細な処理の一例について説明する。
【０２１６】
５．１．１  子局主導通信
次に、図７及び図８を用いて子局主導通信時における操作入力データに基づくイベント演出の処理の一例について説明する。
【０２１７】
なお、図７は、子局主導通信時において、操作入力データに基づくイベント演出におけるペンライト１００の動作処理の一例であり、図８は、子局主導通信時において操作入力データに基づくイベント演出における制御装置３００の動作処理の一例である。
【０２１８】
本動作においては、ペンライト１００の電源が投入されており、かつ、ペンライト１００が制御装置３００に既に登録されているなど、ペンライト１００、中継器２００及び制御装置３００が通信可能状態になっているものとする。また、ペンライト１００から制御装置３００に所定のデータを送信する場合、及び、制御装置３００からペンライト１００に所定のデータを送信する場合には、それぞれ中継器２００を介してデータの授受が行われる。なお、ここでは中継器２００の処理は省略して説明する。
【０２１９】
（ペンライトの動作）
まず、通信制御部１４６が無線通信部１３０によって制御装置３００から送信された子局主導通信の指示データを受信すると（ステップＳ１０１）、通信制御部１４６は、操作入力処理部１４３と連動して子局主導通信を開始する（ステップＳ１０２）。このとき、操作入力処理部１４３は、操作部１０３または加速度検出部１１０によって入力された操作入力を受け付けるとともに、通信制御部１４６は、受け付けた操作入力を操作入力データとして制御装置３００に適宜送信する。
【０２２０】
次いで、通信制御１４６は、無線通信部１３０によって子局主導通信を禁止する指示データを受信したか否かを判定し（ステップＳ１０３）、当該指示データを受信したと判定した場合には、本動作を終了させる。
【０２２１】
（制御装置の動作）
まず、端末管理部３７１、操作部３３０からの操作指示などにより子局主導通信を許可する指示を検出すると（ステップＳ１３１）、データ生成部３７２及び第１通信部３６０を介して全てのペンライトに子局主導通信の許可を示す指示データを一斉送信させる（ステップＳ１３２）。
【０２２２】
このとき、端末管理部３７１は、連動管理部３７３または再生制御部３７６などと連動し、子局主導通信を開始して個々のペンライト１００からの操作入力データを受け付けて所定の動作を実行させる。
【０２２３】
次いで、端末管理部３７１は、操作部３３０からの操作指示などにより子局主導通信を許可する指示を検出すると（ステップＳ１３３）、データ生成部３７２及び第１通信部３６０を介して全てのペンライトに子局主導通信の禁止を示す指示データを一斉送信させて（ステップＳ１３４）、本動作を終了する。
【０２２４】
５．１．２  親局主導通信
次に、図９及び図１０を用いて親局主導通信時における操作入力データに基づくイベント演出の処理の一例について説明する。
【０２２５】
なお、図９は、親局主導通信時において、操作入力データに基づくイベント演出におけるペンライト１００の動作処理の一例であり、図１０は、親局主導通信時において、操作入力データに基づくイベント演出における制御装置３００の動作処理の一例である。
【０２２６】
本動作においては、各ペンライト１００の電源が投入されており、かつ、各ペンライト１００が制御装置３００に既に登録されているなど、ペンライト１００、中継器２００及び制御装置３００が通信可能状態になっているものとする。また、ペンライト１００から制御装置３００に所定のデータを送信する場合、及び、制御装置３００からペンライト１００に所定のデータを送信する場合には、それぞれ中継器２００を介してデータの授受が行われる。なお、ここでは中継器２００の処理は省略して説明する。
【０２２７】
（ペンライトの動作）
まず、通信制御部１４６が制御装置３００から送信された当該ペンライト１００における親局主導通信を行う旨を検出すると（ステップＳ２０１）、操作入力処理部１４３は、ユーザの操作入力を受け付ける（ステップＳ２０２）。このとき、操作入力処理部１４３は、単一のボタンの押し下げまたはペンライト１００の振動を操作入力として受け付ける。また、演出制御部１４５は、操作入力に従って発光部１０１に所定の演出を実行させる。
【０２２８】
次いで、記憶制御部１４２は、受け付けた操作入力を第１のバッファ１２２に記憶する（ステップＳ２０３）。このとき、通信制御部１４６は、該当する送信指示データ、すなわち、自機における操作入力データの送信指示を含む送信指示データを受信するまで待機する。
【０２２９】
次いで、通信制御部１４６は、自機における操作入力データの送信指示を含む送信指示データを受信すると（ステップＳ２０４）、記憶制御部１４２と連動し第１のバッファ１２２に記憶された操作入力データを読み出して制御装置３００に送信し（ステップＳ２０５）、本動作を終了させる。
【０２３０】
（制御装置の動作）
まず、端末管理部３７１は、親局主導通信の指示を検出すると（ステップＳ２３０）、基づいて親局主導通信の開始指示データを全てのペンライト１００に送信する（ステップＳ２３１）。この所定の指示とは、上述したように、管理者の操作部１０３における操作指示、イベント中の予め定められた時刻、または、拡声制御卓４００、調光制御卓５００若しくは再生装置３９０からの指示である。
【０２３１】
次いで、データ生成部３７２は、登録されているペンライト１００のＩＤと操作入力データを一度に受信可能な数とに基づいて、操作入力データの送信を許可する複数のペンライト１００を抽出する（ステップＳ２３２）。
【０２３２】
次いで、データ生成部３７２は、抽出した一または複数のペンライト１００に対して操作入力データのデータ送信指示を示す指示データを生成し、第１通信部３６０及び中継器２００を介して生成した送信指示データを全てのペンライト１００に向けて一斉送信する（ステップＳ２３３）。このとき、第１通信部３６０は、該当するペンライト１００から送信された操作入力データの受信を待機する。
【０２３３】
次いで、第１通信部３６０が該当するペンライト１００から送信された操作入力データを受信すると（ステップＳ２３４）、端末管理部３７１は、受信した操作入力データに所定の処理を実行して記憶部３１０に記憶する（ステップＳ２３５）。
【０２３４】
次いで、端末管理部３７１は、ステップＳ２３２の処理において抽出した全てのペンライト１００における操作入力データを受信したか否かを判定し（ステップＳ２３６）、抽出した全てのペンライト１００における操作入力データを受信したと判定した場合には、ステップＳ２３７の処理に移行する。
【０２３５】
また、端末管理部３７１は、抽出した全てのペンライト１００における操作入力データを受信していない判定した場合には、該当するペンライト１００から送信された操作入力データの受信を待機しつつ、ステップＳ２３４の処理に移行する。
【０２３６】
次いで、端末管理部３７１は、端末管理部３７１に登録された全てのペンライト１００における操作入力データを受信したか否かを判定し（ステップＳ２３７）、端末管理部３７１に登録された全てのペンライト１００における操作入力データを受信したと判定した場合には、ステップＳ２３８の処理に移行する。
【０２３７】
また、端末管理部３７１は、登録した全てのペンライト１００における操作入力データを受信していないと判定した場合には、ステップＳ２３３の処理に移行する。
【０２３８】
次いで、連動管理部３７３は、登録された全てのペンライト１００における操作入力データに基づいて、所定の処理を実行し、第２通信部３８０を介して拡声制御卓４００また調光制御卓５００、または、再生制御部３７６を介して再生装置３９０に所定の演出を実行させて（ステップＳ２３８）本動作を終了させる。
【０２３９】
５．２  イベントの演出におけるペンライト制御
５．２．１  制御装置との連動制御
次に、図１１〜図１４を用いてイベントの演出におけるペンライト制御（制御装置との連動制御）の処理の一例について説明する。
【０２４０】
なお、図１１は、イベントの演出におけるペンライト制御時の制御装置３００のメイン処理の一例であり、図１２は、イベントの演出におけるペンライト制御時の制御装置３００において実行されるデータ生成処理の一例である。また、図１３は、イベントの演出におけるペンライト制御時のペンライト１００のメイン処理の一例であり、図１４は、イベントの演出におけるペンライト制御時のペンライト１００において実行される演出制御処理の一例である。
【０２４１】
本動作においては、ペンライト１００の電源が投入されており、かつ、ペンライト１００が制御装置３００に既に登録されているなど、ペンライト１００、中継器２００及び制御装置３００が通信可能状態であって、同期が確立しているものとする。また、ペンライト１００から制御装置３００に所定のデータを送信する場合、及び、制御装置３００からペンライト１００に所定のデータを送信する場合には、それぞれ中継器２００を介してデータの授受が行われる。なお、ここでは中継器２００の処理は省略して説明する。
【０２４２】
（制御装置におけるメイン処理）
まず、連動管理部３７３が所定の指示に基づいてイベントの演出に伴うペンライト１００の制御開始を検出すると（ステップＳ３０１）、時刻制御部３７５は、スタート時刻を設定する（ステップＳ３０２）。なお、時刻制御部３７５は、ステップＳ３０２の処理時に、中継器２００及び各ペンライト１００との同期を開始してもよい。
【０２４３】
次いで、端末管理部３７１は、全てのペンライト１００にイベントの演出に伴う制御を行う旨を送信し、ユーザ操作を無効にして制御装置３００の管理下におく処理（以下、「操作入力の無効処理」という。）を実行する（ステップＳ３０３）。例えば、端末管理部３７１は、ペンライト１００の通信制御部１４６と連動し、上述したペンライト１００の強制制御の処理を実行する。
【０２４４】
次いで、連動管理部３７３は、第２通信部３８０を介して拡声制御卓４００または調光制御卓５００から所定の演出データの受信または再生装置３９０から所定の音楽データの受信を開始し、受信した演出データまたは音楽データを順次データ生成部３７２に提供する（ステップＳ３０５）。
【０２４５】
次いで、データ生成部３７２は、スタート時刻に基づいて、連動管理部３７３から提供された演出データまたは音楽データに基づいて演出制御データ群の生成を開始する（ステップＳ３０６）。
【０２４６】
次いで、時刻制御部３７５がスタート時刻を検出すると、連動管理部３７３は、第２通信部３８０を介して拡声制御卓４００若しくは調光制御卓５００、または、再生装置３９０との連動を開始する（ステップＳ３０７）。このとき、例えば、拡声制御卓４００によって若しくは再生装置３９０から音楽データの再生が開始され、または、調光制御卓５００によって調光制御が開始される。
【０２４７】
次いで、連動管理部３７３は、拡声制御卓４００、調光制御卓５００、または、再生装置３９０との連動が終了したか否かを判定する（ステップＳ３０８）。
【０２４８】
このとき、連動管理部３７３は、拡声制御卓４００、調光制御卓５００、または、再生装置３９０との連動が終了したと判定した場合には、データ生成部３７２にデータ生成の終了を指示する。
【０２４９】
最後に、端末管理部３７１は、第１通信部３６０と連動してイベントの演出に伴うペンライト１００の制御を解除するためのデータ（以下、「解除データ」という。）送信し（ステップＳ３０９）、本動作を終了させる。
【０２５０】
（制御装置における演出制御データ群生成処理）
まず、データ生成部３７２は、ステップＳ３０７の処理によって演出制御データ群の生成を開始すると、スタート時刻、または、前回生成した演出制御データ群に含まれる最先の端末演出制御データの演出実行時刻から所定の時間経過後の時刻から所定の演出実行時刻までの端末演出制御データを有する演出制御データ群を生成し、生成した演出制御データ群を記憶部に記憶する（ステップＳ３２１）。
【０２５１】
次いで、第１通信部３６０は、記憶部に記憶されている演出制御データ群を全てのペンライト１００に一斉送信する（ステップＳ３２２）。
【０２５２】
なお、ステップＳ３２２の処理においては、中継器２００によって実行されてもよい。この場合には、ステップＳ３２１の処理において生成された演出制御データ群は、中継器２００の記憶部に記憶される。
【０２５３】
次いで、データ生成部３７２は、連動管理部３７３によって拡声制御卓４００、調光制御卓５００、または、再生装置３９０との連動終了が判定されたか否かを判定し（ステップＳ３２３）、当該連動終了が判定された場合には、本動作を終了させ、当該連動終了が判定されていない場合には、ステップＳ３２４の処理に移行する。
【０２５４】
次いで、データ生成部３７２は、次の演出制御データ群の生成タイミングか否かを判定し（ステップＳ３２５）、次の演出制御データ群の生成タイミングであると判定した場合には、ステップＳ３２１の処理に移行し、次の演出制御データ群の生成タイミングでないと判定した場合には、ステップ３２２の処理に移行する。
【０２５５】
（ペンライトにおけるメイン処理）
まず、第１通信部３６０は、制御装置３００からイベントの演出に伴うペンライト１００の制御（すなわち、強制制御）を行う旨を受信すると（ステップＳ４００）、制御装置３００の管理下におかれるための処理を実行する（ステップＳ４０１）。例えば、通信制御部１４６は、制御装置３００の端末管理部３７１と連動し、上述したペンライト１００の強制制御の処理を実行する。なお、このとき、時刻管理部１４１は、制御装置３００及び中継器２００との同期を確立してもよい。また、通信制御部１４６は、演出制御データ群の受信を待機する。
【０２５６】
次いで、演出制御部１４５は、時刻管理部１４１と連動して進行時刻に基づいて、第２のバッファ１２３に記憶された端末演出制御データに基づく演出制御を開始する（ステップＳ４０２）。
【０２５７】
次いで、通信制御部１４６は、演出制御データ群を受信すると（ステップＳ４０３）、受信した演出制御データ群に自機用の端末演出制御データが含まれているか否かを判定する（ステップＳ４０４）。このとき、通信制御部１４６は、受信した演出制御データ群に自機用の端末演出制御データが含まれていると判定した場合には、ステップＳ４０５の処理に移行し、当該受信した演出制御データ群に自機用の端末演出制御データが含まれていないと判定した場合には、ステップＳ４０８の処理に移行する。
【０２５８】
次いで、通信制御部１４６が受信した演出制御データ群に自機用の端末演出制御データが含まれていると判定した場合には、記憶制御部１４２は、第２のバッファ１２３に記憶領域があるか否かを判定する（ステップＳ４０５）。このとき、記憶制御部１４２は、第２のバッファ１２３に記憶領域があると判定した場合には、ステップＳ４０６の処理に移行し、第２のバッファ１２３に記憶領域が無いと判定した場合には、ステップＳ４０８の処理に移行する。
【０２５９】
次いで、記憶制御部１４２は、第２のバッファ１２３に記憶領域があると判定した場合には、受信した演出制御データ群に含まれる自機用の端末演出制御データが既に第２のバッファ１２３に記憶されているデータであるか否かを判定する（ステップＳ４０６）。
【０２６０】
このとき、記憶制御部１４２は、受信した演出制御データ群に含まれる自機用の端末演出制御データが既に第２のバッファ１２３に記憶されているデータであると判定した場合には、ステップＳ４０８の処理に移行し、受信した演出制御データ群に含まれる自機用の端末演出制御データが既に第２のバッファ１２３に記憶されているデータでないと判定した場合には、ステップＳ４０７の処理に移行する。
【０２６１】
次いで、記憶制御部１４２は、受信した演出制御データ群に含まれる自機用の端末演出制御データが既に第２のバッファ１２３に記憶されていないデータであると判定した場合には、受信した演出制御データ群に含まれる自機用の端末演出制御データを第２のバッファ１２３に記憶する（ステップＳ４０７）。
【０２６２】
一方、通信制御部１４６は、受信した演出制御データ群に自機用の端末演出制御データが含まれていないと判定された場合に、第２のバッファ１２３に記憶領域が無いと判定された場合に、または、受信した演出制御データ群に含まれる自機用の端末演出制御データが既に第２のバッファ１２３に記憶されているデータであると判定した場合に、受信した演出制御データ群を破棄する（ステップＳ４０８）。
【０２６３】
最後に、通信制御部１４６は、制御装置３００から送信されたイベントの演出に伴うペンライト１００の制御を解除するためのデータを受信したか否かを判定する（ステップＳ４０９）。このとき、通信制御部１４６は、制御装置３００から送信されたイベントの演出に伴うペンライト１００の制御を解除するためのデータを受信していない場合には、ステップＳ４０３の処理に移行し、当該解除するためのデータを受信した場合には、本動作を終了させる。
【０２６４】
なお、ステップＳ４１０の処理においては、通信制御部１４６は、演出制御部１４５に本動作の終了を指示してもよく、この場合には、演出制御部１４５は、当該終了が指示された時点で本動作を終了する。
【０２６５】
（ペンライトにおける演出制御処理）
まず、演出制御部１４５は、ステップＳ４０２の処理によって、時刻管理部１４１と連動して進行時刻に基づいて、第２のバッファ１２３に記憶された端末演出制御データに基づく演出制御を開始すると、時刻管理部１４１と連動して第２のバッファ１２３に記憶された最先の演出実行時刻と進行時刻が一致したか否か、または、進行時刻が最先の演出実行時刻を経過したか否か判定する（ステップＳ４２１）。
【０２６６】
このとき、演出制御部１４５は、第２のバッファ１２３に記憶された最先の演出実行時刻と進行時刻が一致したと判定した場合、または、進行時刻が最先の演出実行時刻を経過したと判定した場合には、記憶制御部１４２と連動して当該演出実行時刻を有する端末演出制御データを読み出してその演出態様を実行し（ステップＳ４２２）、ステップＳ４２４の処理に移行する。なお、このとき、記憶制御部１４２は、読み出した端末演出制御データを破棄する。
【０２６７】
一方、演出制御部１４５は、第２のバッファ１２３に記憶された最先の演出実行時刻と進行時刻が一致していないと判定した場合、または、進行時刻が最先の演出実行時刻を経過していないと判定した場合には、には、所定の時間（例えば、１秒）待機し（ステップＳ４２３）、ステップＳ４２２の処理を繰り返す。
【０２６８】
次いで、記憶制御部１４２は、第２のバッファ１２３に端末演出制御データが未だ記憶されているか否かを判定する（ステップＳ４２４）、当該端末演出制御データが記憶されている場合には、ステップＳ４２１の処理に移行し、当該端末演出制御データが記憶されていない場合には、本動作を終了させる。
【０２６９】
５．２．２  ペンライトの単独制御
次に、図１５及び図１６を用いてイベントの演出におけるペンライト制御（ペンライトの単独制御）の処理の一例について説明する。
【０２７０】
なお、図１５は、本実施形態のイベントの演出におけるペンライト制御（ペンライトの単独制御）時の端末演出制御データ設定処理の一例であり、図１６は、本実施形態のイベントの演出におけるペンライト制御（ペンライトの単独制御）時の端末演出制御データ実行処理の一例である。
【０２７１】
本動作においては、各種設定情報部１２４には、操作部１０３または加速度検出部１１０の操作に連動して実行する発光態様の命令データなど発光部１０１における演出態様を設定するための種々のデータが既に記憶されている。
【０２７２】
（端末演出制御データ設定処理）
まず、操作部１０３の操作などに基づいて、操作入力処理部１４３がユーザにおける端末演出制御データの設定入力を実行する旨を検出すると（ステップＳ５０１）、操作入力処理部１４３は、第２のバッファ１２３の初期化など、所定の初期化を実行する（ステップＳ５０２）。
【０２７３】
次いで、操作入力処理部１４３は、操作部１０３、加速度検出部１１０またはそれらと連動し、ユーザによって設定された発光部１０１の発光態様、すなわち、演出態様を受け付ける（ステップＳ５０３）。
【０２７４】
次いで、操作入力処理部１４３は、受け付けた演出態様を端末演出制御データとしてデータ化して第２バッファ１２３に記憶し（ステップＳ５０４）、本動作を終了させる。
【０２７５】
（端末演出制御データ実行処理）
まず、操作部１０３の操作または無線通信部１３０による制御装置３００からの指示などに基づいて、演出制御部１４５がユーザにおける端末演出制御データの実行する旨を検出すると（ステップＳ５１１）、当該演出制御部１４５は、第２のバッファ１２３に記憶された端末演出制御データを読み出す（ステップＳ５１２）。
【０２７６】
次いで、演出制御部１４５は、読み出した端末演出制御データに基づいて発光部１０１の発光態様を制御を開始して（ステップＳ５１３）本動作を終了させる。
【０２７７】
以上、本実施形態のイベント演出システム１０は、ペンライト１００において、制御装置３００から送信された端末演出制御データに基づいて、イベントの演出に連動するための演出を実行することができるとともに、イベントの演出に関するユーザによる操作入力を操作入力データとして制御装置３００に送信することができるので、ユーザの意志をイベントの演出に反映させることができるとともに、ユーザが参加する演出を通してイベントにおける一体感を高めることができる。
【０２７８】
また、本実施形態のイベント演出システム１０は、親局主導通信により、ペンライト１００のデータ送信を制御することができるので、多数のペンライト１００が用いられるイベントにおいて一斉に各ペンライト１００が制御装置３００と通信を行う場合であっても、確実に操作入力データを制御装置３００に送信することができる。
【０２７９】
また、本実施形態のイベント演出システム１０は、ペンライト１００にバッファ機能を有しているので、操作入力を受け付けたタイミングと、連動制御装置３００に操作入力データを送信するタイミングが異なる場合であっても、確実に操作入力データを送信することができる。
【０２８０】
また、本実施形態のイベント演出システム１０は、操作入力時または操作入力データの制御装置３００への送信時に、所定の演出を実行することができるので、ユーザに操作入力を実行したことを認識させること、または、連動制御装置３００に操作入力データが送信されたことを認識させることができるとともに、複数の操作入力が選択可能であって、操作入力毎に異なる演出が実行されることが予め設定されている場合には、他のユーザの操作入力をも認識させることができる。
【０２８１】
したがって、本実施形態のイベント演出システム１０は、ペンライト１００においては、操作入力及び当該操作入力の送信を確実にユーザに知らせることができるとともに、選択可能な操作入力を使うことによって、連動制御装置３００主導の演出だけでなく、端末装置自ら種々のイベント演出を実行することもできる。
【０２８２】
また、本実施形態のイベント演出システム１０は、ペンライト１００においては、制御装置３００から強制制御が為されなければ、自ら演出手段を操作することができるので、制御装置３００主導の演出だけでなく、ユーザの意志に基づいて自由にイベント演出に参加することができる。
【０２８３】
また、本実施形態のイベント演出システム１０は、制御装置３００による強制制御とユーザによる自由操作とを切り換えることができるので、ユーザの意志に基づいて自由にイベント演出に参加しつつも、連動制御装置３００主導の演出への切り換え、または、使用禁止など、イベント演出と確実に連動させることができる。
【０２８４】
また、本実施形態のイベント演出システム１０は、ペンライト１００において、演出態様を規定する端末演出制御データを予め取得して記憶しているので、イベント中にユーザによる煩雑な操作を不要にしつつ、演出態様を制御する端末演出制御データを的確に取得し、イベント中であっても当該演出態様を確実に実行することができるとともに、ユーザを確実にイベントに参加させることができるので、ユーザが参加する演出を通してイベントにおける一体感を高めることができる。
【０２８５】
そして、本実施形態のイベント演出システム１０は、ペンライト１００において、繰り返して端末演出制御データを受信することにより、通信障害、送信エラーまたは受信エラーなど種々の問題による未受信を防止することができるので、的確に親局からの指示を受信し、確実にイベントの演出を実行することができる。
【０２８６】
また、本実施形態のイベント演出システム１０は、ペンライト１００、中継器２００及び制御装置３００の同期をとることができるとともに、ペンライト１００における端末演出制御データを実行するタイミングを制御装置３００と同期することができるので、イベントの演出と自機が実行する演出を確実に連動させることができる。
【０２８７】
また、本実施形態のイベント演出システム１０は、ペンライト１００において、時刻上で連続している演出実行時刻を含む端末演出制御データを記憶するので、イベントの演出を連続的に実行することが可能となり、音楽に合わせるなど自機の行う演出をイベントの演出に合わせて複雑な演出態様を実行することができる。
【０２８８】
また、本実施形態のイベント演出システム１０は、ペンライト１００において、受信した端末演出制御データが既に記憶されている端末演出制御データと同一であること、受信した端末演出制御データが自機に無関係の端末演出制御データであること、または、記憶制御手段に記憶可能領域が無い場合に受信した端末演出制御データを記憶せずに破棄するので、的確に必要な端末演出制御データのみを記憶すること、または、未実行の端末演出制御データを確実に保持して実行することができる。
【０２８９】
なお、本実施形態においては、本発明の端末装置として、発光部１０１を有するペンライト１００を用いて説明したが、液晶モニタその他の表示装置、または、携帯型音楽プレーヤその他の音出力装置などの所定の演出を実行することが可能な演出ユニットを有する通信端末装置に、本願発明を適用することができる。
【０２９０】
また、本実施携帯においては、プロトコルによって、または、差分時刻によって制御装置３００、中継器２００及び各ペンライト１００の同期を確立しているが、個々の装置が外部から提供された絶対時刻を取得することによって同期を確立してもよい。
【符号の説明】
【０２９１】
１０  …  イベント演出システム
１００  …  ペンライト
１０１  …  発光部
１０２  …  把持部
１０３  …  操作部
１１０  …  加速度検出部
１２０  …  記憶部
１２１  …  主記憶部
１２２  …  バッファ
１２３  …  バッファ
１２４  …  各種設定情報記憶部
１３０  …  無線通信部
１４０  …  処理部
１４１  …  時刻管理部
１４２  …  記憶制御部
１４３  …  操作入力処理部
１４５  …  演出制御部
１４６  …  通信制御部
２００  …  中継器
２１０  …  記憶部
２２０  …  無線通信部
２３０  …  有線通信部
２４０  …  制御部
２４１  …  通信制御部
２４２  …  同期管理部
３００  …  制御装置
３１０  …記憶部
３２０  …  情報記憶媒体
３３０  …  操作部
３４０  …  表示部４４０
３５０  …  音出力部
３６０  …  第１通信部
３７０  …  管理・制御部
３７１  …  端末管理部
３７２  …  データ生成部
３７３  …  再生制御部
３７３  …  連動管理部
３７４  …  表示制御部
３７５  …  時刻制御部
３７６  …  再生制御部
３８０  …  第２通信部
３９０  …  再生装置
４００  …  拡声制御卓
５００  …  調光制御卓
【図１】
2013004323.tif 000003
【図３】
2013004323.tif 000004
【図４】
2013004323.tif 000005
【図５】
2013004323.tif 000006
【図６】
2013004323.tif 000007
【図７】
2013004323.tif 000008
【図８】
2013004323.tif 000009
【図９】
2013004323.tif 000010
【図１０】
2013004323.tif 000011
【図１１】
2013004323.tif 000012
【図１２】
2013004323.tif 000013
【図１３】
2013004323.tif 000014
【図１４】
2013004323.tif 000015
【図１５】
2013004323.tif 000016
【図１６】
2013004323.tif 000017
【図２】
2013004323.tif 000018